(57)【要約】  【課題】  アダプタを用いることなく、三芯の電源プラグ用のコンセントにも、二芯の電源プラグ用のコンセントにも利用できる電源プラグを提供する  【解決手段】  電源プラグ本体１０は、被接続対象であるコンセントに対向する側の接続面１１に立設された一対の電源端子１２と、接続面１１に対し着脱可能に立設されたアース端子１３とを有している。アース端子ホルダー具２０は、電源プラグ本体１０の後方から延設された電源コード３０に取り付けられており、このアース端子ホルダー具２０には、アース端子１３を保持する保持部２１が、電源コード３０に沿ってアース端子１３を保持できるように、電源コード３０の周囲に設けられている。この電源プラグ１は、アース端子１３を着脱することで、三芯の電源プラグとしても二芯の電源プラグとしても利用することができる。【選択図】  図１
0003107908.tif 000002
【実用新案登録請求の範囲】
【請求項１】
被接続対象に対向する側の面であってプラグ本体の接続面に立設された電源端子、前記接続面に対し着脱可能に立設されたアース端子を有する電源プラグ本体と、
前記電源プラグ本体から延設された電源コードの周囲に設けられ、前記接続面から取り外した前記アース端子を保持するアース端子ホルダーと
を備えることを特徴とする電源プラグ。
【請求項２】
請求項１記載の電源プラグにおいて、
前記アース端子ホルダーは、前記電源プラグ本体とは別体で形成されていることを特徴とする電源プラグ。
【請求項３】
請求項１,２いずれか記載の電源プラグにおいて、
前記アース端子ホルダーは、前記電源コードに沿って前記アース端子を保持することを特徴とする電源プラグ。
【考案の詳細な説明】
【技術分野】
【０００１】
本考案は、電源プラグ装置に関する。
【背景技術】
【０００２】
従来より、図３に示すように、一対の電源端子１０１に加えて、アース端子１０２を備えた三芯の電源プラグ１００がある。この三芯の電源プラグ１００は、工事現場の投光器などの大電力装置で用いられることが多く、最近ではパソコンや電子レンジ等の普及により一般家庭でも利用されることが多くなってきた。
【０００３】
ところが、家庭用など一般のコンセントは、一対の電源端子を備えた二芯の電源プラグ用のものが多いので、この三芯の電源プラグ１００を二芯の電源プラグ用のコンセントで使用する場合、アダプタ２００を使用している。
【０００４】
このアダプタ２００は、後方側に三芯の電源プラグ１００の電源端子１０１及びアース端子１０２をそれぞれ挿入する挿入孔２０１，２０２が形成され、前方側に一対の電源端子２０３のみを備えている。このアダプタ２００の挿入孔２０１，２０２に三芯の電源プラグ１００の電源端子１０１及びアース端子１０２をそれぞれ挿入して、三芯の電源プラグ１００とアダプタ２００とを連結すると、アース端子１０２はアダプタ２００内に収納され、電源端子１０１は、アダプタ２００の電源端子２０３とアダプタ２００内で電気的に接続される。そのため、このアダプタ２００を用いれば、三芯の電源プラグ１００と二芯用のコンセントとを電気的に接続することができる。
【考案の開示】
【考案が解決しようとする課題】
【０００５】
しかし、三芯の電源プラグ１００を三芯用のコンセントに差し込んで利用している場合、アダプタ２００は別途保管しておくことが多く、そのため、必要があって三芯の電源プラグ１００を二芯用のコンセントに接続しようとしても、アダプタの保管場所がわからないなどすることが多かったので、三芯の電源プラグ１００を二芯用のコンセントに臨機応変に接続することができないという問題があった。
【０００６】
そこで、本考案では、アダプタを用いることなく、三芯の電源プラグ用のコンセントにも、二芯の電源プラグ用のコンセントにも臨機応変に接続できる電源プラグを提供することを目的とする。
【課題を解決するための手段】
【０００７】
上述した問題点を解決するためになされた請求項１に記載された電源プラグは、被接続対象に対向する側の面であってプラグ本体の接続面に立設された電源端子、前記接続面に対し着脱可能に立設されたアース端子を有する電源プラグ本体と、前記電源プラグ本体から延設された電源コードの周囲に設けられ、前記接続面から取り外した前記アース端子を保持するアース端子ホルダーとを備えることを特徴とする。
【０００８】
この電源プラグによると、アース端子が電源プラグ本体に対し着脱可能に構成されているので、三芯の電源プラグとして利用していたものを、アース端子を電源プラグ本体からはずすことで、二芯の電源プラグとしても利用できる。またこの電源プラグによると、アース端子をアース端子ホルダーに保持して持ち運ぶことができるので、アース端子ホルダーに保持されていたアース端子を電源プラグ本体に接続することで、アース端子をはずして二芯用として利用していた電源プラグを、三芯用の電源プラグとしてもすぐに利用することができる。従ってこの電源プラグは、接続するコンセントが二芯用か三芯用かに応じて、臨機応変に接続することができる。
【０００９】
次に、請求項２に記載したように、アース端子ホルダーは、電源プラグ本体とは別体で形成されていてもよい。
また、請求項３に記載したように、アース端子ホルダーは、電源コードに沿ってアース端子を保持することが好ましい。このようにすれば、電源コードから出っ張らずに、コンパクトに保持することができる。
【考案を実施するための最良の形態】
【００１０】
以下、本考案を実施するための最良の形態について図面を用いて説明する。
図１及び図２は、本実施形態の電源プラグの斜視図で、図１は、アース端子を接続面に取り付けた様子、図２はアース端子ホルダーに保持した様子を示している。
【００１１】
本実施形態の電源プラグ１は、図１に示すように、電源プラグ本体１０と、アース端子ホルダー具２０とを備えている。
電源プラグ本体１０は、被接続対象であるコンセントに対向する側の接続面１１に立設された一対の電源端子１２と、接続面１１に対し着脱可能に立設されたアース端子１３とを有している。具体的には、図２に示すように、接続面１１にネジ孔１１ａが設けられ、アース端子１３の長手方向の一端にもネジ溝１３ａが切られており、アース端子１３はネジ孔１１ａとネジ溝１３ａのネジ機構により、着脱可能に形成されている。
【００１２】
アース端子ホルダー具２０は、図１に示すように、電源プラグ本体１０の後方（接続面１１側が前方）から延設された電源コード３０に取り付けられており、このアース端子ホルダー具２０には、アース端子１３を保持する保持部２１が、電源コード３０に沿ってアース端子１３を保持できるように、電源コード３０の周囲に設けられている。また、このアース端子ホルダー具２０は、電源コード３０の延設方向に沿って摺動可能に電源コード３０に取り付けられている。
【００１３】
このように形成された電源プラグ１によると、アース端子１３が電源プラグ本体１０に対し着脱可能に構成されているので、三芯の電源プラグとして利用していたものを、アース端子１３を電源プラグ本体１０からはずすことで、二芯の電源プラグとしても利用できる。またこの電源プラグ１によると、アース端子１３をアース端子ホルダー２０に保持して持ち運ぶことができるので、アース端子ホルダー２０に保持されていたアース端子１３を電源プラグ本体１０に接続することで、アース端子１３をはずして二芯用として利用していた電源プラグを、三芯用の電源プラグとしてもすぐに利用することができる。従ってこの電源プラグ１は、接続するコンセントが二芯用か三芯用かに応じて、臨機応変に接続することができる。
【００１４】
また、アース端子ホルダー具２０は、電源コード３０に沿ってアース端子を保持することができるので、電源コード３０から出っ張らないように、コンパクトにアース端子１３を保持することができる。
【００１５】
尚、以上本考案の一実施形態ついて説明したが、本考案はこの実施形態に何等限定されるものではなく、本考案の要旨を逸脱しない範囲において、種々なる態様で実施し得ることは勿論である。
【００１６】
例えば、上記実施形態では、二つの電源端子を備えるものについて説明したが、３つの電源端子を備えているものでもあってよい。
また、アース端子ホルダー具２０は、電源プラグ本体１０と一体に形成されていてもよい。
【図面の簡単な説明】
【００１７】
【図１】本実施形態の電源プラグの斜視図である。
【図２】本実施形態の電源プラグの斜視図である。
【図３】従来の電源プラグの斜視図である。
【符号の説明】
【００１８】
１…電源プラグ、１０…電源プラグ本体、１１…接続面、１１ａ…ネジ孔、１２…電源端子、１３…アース端子、１３ａ…ネジ溝、２０…アース端子ホルダー具、２１…保持部、３０…電源コード
【図１】
0003107908.tif 000003
【図２】
0003107908.tif 000004
【図３】
0003107908.tif 000005